(57)【要約】      （修正有）【課題】破損しにくく、扉が長細くねじれやすい場合であっても、収納箱の扉の閉操作が容易で、確実に固定できる機能を有する収納箱を実現する。【解決手段】収納箱１は、電気機器が取り付けられるケース１１と、電気機器を一部露出させる開口を有してケース前方に取り付けられるカバー１２と、カバーの前方に開口を覆う閉位置と開口を覆わない開位置との間を揺動自在に軸支されて取り付けられる扉１３とを有するとともに、扉を閉位置に固定するための、扉及び前記カバーの一方に設けられる係合凸部と、扉及びカバーの他方に設けられて係合凸部と係合する係合凹部とを備え、係合凸部近傍に、扉の揺動方向と直交する方向のぶれを防止するぶれ防止部を備える。【選択図】図１
2016072530.tif 000002
【特許請求の範囲】
【請求項１】
電気機器を収納する収納箱であって、
前記電気機器が取り付けられるケースと、
前記電気機器を一部露出させる開口を有してケース前方に取り付けられるカバーと、
前記カバーの前方に前記開口を覆う閉位置と前記開口を覆わない開位置との間を揺動自在に軸支されて取り付けられる扉とを有するとともに、
前記扉を閉位置に固定するための、
前記扉及び前記カバーの一方に設けられる係合凸部と、
前記扉及び前記カバーの他方に設けられて前記係合凸部と係合する係合凹部とを備え、
前記係合凸部近傍に、前記扉の揺動方向と直交する方向のぶれを防止するぶれ防止部を備えたことを特徴とする収納箱。
【請求項２】
前記ぶれ防止部は、前記係合凸部の周囲に前記係合凹部の外郭が嵌まり込む係合凹部嵌合部が形成されることにより構成されることを特徴とする請求項１記載の収納箱。
【請求項３】
前記係合凹部嵌合部は、
前記係合凸部における凸部の突出方向と同方向に壁部を突出させて形成されるとともに、
前記壁部の端部は、前記突出方向に対して外開きとなるよう角度が付けられて形成されていることを特徴とする請求項２記載の収納箱。
【発明の詳細な説明】
【技術分野】
【０００１】
本発明は、電気機器を収納するための収納箱に関する。
【背景技術】
【０００２】
電気機器を収納する収納箱において、収納箱の扉が、開状態と閉状態との間で揺動自在に設けられ、閉状態で固定される機能を有する収納箱が知られている。
【０００３】
例えば、特許文献１では、ドア（扉）１３０がカバー１２０の前面側において、該カバー１２０の前面を覆う状態と覆わない状態との間で、ドア１３０を開閉できるよう設けられたものが開示されている。（図８）
【０００４】
前記ドア１３０は、前記カバー１２０にヒンジ構造１３００により支持され、開閉できるようになっている。
【０００５】
この分電盤では、ドア１３０が、前記ヒンジ構造１３００の部分を回動中心としてカバー１２０に支持されている。また、ドア１３０並びにカバー１２０には、プッシュラッチ１３３とストライカ１２３が、ドア１３０が閉じた状態で係合するように互いに対向して設けられており、ドア１３０を閉じた状態で該ドア１３０の回動を防止させる。
ストライカ１２３はドア１３０が回動するときの半径方向となる端部付近、即ちドア１３０の蝶番部分から離れた周縁部付近に設けられている。ストライカ１２３は、段差部１２４の前面側において、左右の略中央部に設けられており、カバー１２０の左右に離間させて設けているヒンジ構造部と相まって逆三角形状にドアを３点支持により安定して保持している。
【０００６】
このように、分電盤のドア１３０は、ドア１３０を閉じた時に、プッシュラッチ１３３がストライカ１２３に係合されることにより、カバー１２０に対して閉じた状態で保持される。
【先行技術文献】
【特許文献】
【０００７】
特許文献１  特開２０１２−１４３１２６  図３
【発明の概要】
【発明が解決しようとする課題】
【０００８】
しかしながら、分電盤を輸送する時など、分電盤に振動や衝撃等の大きな力が印加される場合においては以下のような課題が想定される。
例えば、ドア（扉）１３０の先端部付近に左右方向からの力が印加されると，ドア１３０の先端部を保持しているプッシュラッチ１３３とストライカ１２３の係合部にその力が直接加わり、左右方向の耐力を超えた場合には、プッシュラッチ１３３やストライカ１２３が破損するおそれがある。
施工や使用時において、ドア１３０の先端部付近に手や物が当たった場合も同様である。
【０００９】
また、分電盤の形状において、ドアの幅方向（前記図８の左右方向）が小さな収納箱を構成する場合、換言すれば、前記ドアの上下方向の長さ（前記図８の上下方向）に対する前記ドアの幅方向の長さ（前記図８の左右方向）の比が小さくなるような場合、前記ドアは、その幅方向にねじれやすくなり、結果、ドアが揺動するときに、前記幅方向にぶれやすくなる。
そうすると、ドアを閉じるときに、プッシュラッチとストライカの位置が互いにずれ、ドアが係合しづらくなってしまう、すなわち、ドアを閉める操作を不用意に行うと、うまくドアが閉まらなくなる、という課題があった。
【００１０】
そこで、本発明は、上記課題に鑑みてなされたもので、収納箱の扉が外力に抗して破損しにくく、なおかつ、扉が長細くねじれやすい場合であっても、収納箱の扉の閉操作が容易で、扉を閉じた後は確実に固定できる機能を有する収納箱を実現することを目的とする。
【課題を解決するための手段】
【００１１】
本発明に係る収納箱は、電気機器を収納する収納箱であって、前記電気機器が取り付けられるケースと、前記電気機器を一部露出させる開口を有してケース前方に取り付けられるカバーと、前記カバーの前方に前記開口を覆う閉位置と前記開口を覆わない開位置との間を揺動自在に軸支されて取り付けられる扉とを有するとともに、前記扉を閉位置に固定するための、前記扉及び前記カバーの一方に設けられる係合凸部と、前記扉及び前記カバーの他方に設けられて前記係合凸部と係合する係合凹部とを備え、前記係合凸部近傍に、前記扉の揺動方向と直交する方向のぶれを防止するぶれ防止部を備えたことを特徴として収納箱を構成している。
【００１２】
かかる構成によれば、前記扉及び前記カバーの一方に設けられる係合凸部と、前記扉及び前記カバーの他方に設けられて前記係合凸部と係合する係合凹部とを備え、なおかつ、前記係合凸部近傍に、前記扉の揺動方向と直交する方向のぶれを防止するぶれ防止部を備えたから、当該ぶれ防止部によって揺動方向と直交する方向（左右方向という）のぶれが抑制され、収納箱の扉を閉じやすく、また、閉じた後はその閉じた状態を確実に維持することができる。
【００１３】
また、前記ぶれ防止部は、前記係合凸部の周囲に前記係合凹部の外郭が嵌まり込む係合凹部嵌合部を形成することにより構成してもよい。
【００１４】
かかる構成によれば、
前記係合凹部の外郭が嵌まり込む係合凹部嵌合部を前記係合凸部の周囲に形成することにより構成したから、係合凹部の内包部のみならず、該凹部の外郭全体が係合凹部嵌合部に嵌合してぶれ防止のための強度が増し、左右方向のぶれに対する対抗力を高く維持することができる。
【００１５】
また、前記係合凹部嵌合部は、前記係合凸部における凸部の突出方向と同方向に壁部を突出させて形成されるとともに、前記壁部の端部は、前記突出方向に対して外開きとなるよう角度を付けて形成することにより構成してもよい。
【００１６】
かかる構成によれば、
前記係合凹部嵌合部を、凸部の突出方向と同方向に壁部を突出させるとともに、突出する方向に対して外開きとなるよう角度を付けて形成したから、扉を閉じるときに、扉がねじれるなどして、ぶれが生じながら閉められる場合においても、正規の位置に扉を導きやすく、扉を閉める操作を不用意に行った場合においても、扉を閉めることを確実に行うことができる。
【発明の効果】
【００１７】
本発明によれば、分電盤等の収納箱における左右方向からの外力に強く、なおかつ上下方向の長さに対して左右方向の幅が狭い収納箱等、扉がねじれやすい場合であっても、収納箱の扉を閉じやすく、閉じた後は確実に閉じた状態を維持し得る機能を有する収納箱を実現することができる。
【図面の簡単な説明】
【００１８】
【図１】実施形態に係る収納箱の斜視図であり、扉が閉位置にある状態を示す。
【図２】収納箱のカバーに対して扉を開けた状態を示す。
【図３】係合凹部と係合凸部とを説明するための扉を開けた状態を示す。
【図４】係合凹部と係合凸部とを説明するための扉を開けた状態を示す。
【図５】実施形態に係る収納箱の斜視図であり、扉が開位置にある状態を示す。
【図６】扉に設けたカバー係合部を説明するための拡大図である。
【図７】扉の開閉動作を説明するための側面図である。
【図８】従来例を示すための図である。
【発明を実施するための形態】
【００１９】
次に、本発明の実施形態を図１乃至図８を参照しながら説明する。
【００２０】
（収納箱の構成）
図１は実施形態に係る収納箱１の斜視図であり、扉１３が閉位置にある状態を示した図である。図２は該収納箱１のカバー１２に対して扉１３を開けた状態を示した図である。
【００２１】
なお、以下の説明において、「前」とはカバーに対し扉が設けられる側を、「後」とはカバーに対しケース１１が設けられる側を指すものとする。また、「上」及び「下」とは、収納箱１を住宅の壁面等に設置したときの上側及び下側をそれぞれ指すものとする。また、前後方向及び上下方向に直交する方向を左右方向と呼ぶものとする。
【００２２】
収納箱１は、電気機器が取り付けられるケース１１と、電気機器を一部露出させる開口を有してケース前方に取り付けられるカバー１２と、カバー１２の前方に前記開口を覆う閉位置と前記開口を覆わない開位置との間を揺動自在に軸支されて取り付けられる扉１３とを有している。
【００２３】
なお、ケース１１とカバー１２とは一体的に構成されていてもよい。また、開口部１２０には開口部１２０を覆うパネル（図示しない）が取り付けられて、当該パネルに前記電気機器の一部が露出する開口部を設ける構成とされていてもよい。
【００２４】
電気機器は、中底に取り付けられた状態でケース１１に固定される。電気機器は、例えば、太陽光発電システム、家庭用燃料電池システム等の連系用遮断器であり、例えば、入力側が太陽光発電システム用のパワーコンディショナーに接続され、出力側が家庭用の分電盤に接続される。
【００２５】
なお、電気機器は、遮断器に限定されず、系統切替器、電流制限器（リミッタ）、電力量計等の他の電気機器であってもかまわない。なお、本開示における電気機器は、遮断器のような強電系の電気機器に限定されず、例えば、半導体等の電子部品が搭載された弱電系の電子機器（例えば、タッチパネル式のディスプレイ）や、強電系の電気機器と弱電系の電子機器とを組み合わせたものを含む概念である。
【００２６】
（扉の揺動動作）
図７には、扉１３を開位置とした状態の側面図を示している。扉１３は、カバー１２の上側周縁部において、左右方向に離間して設けられた扉軸支部ａ（１２４ａ）、扉軸支部ｂ（１２４ｂ）を介して前記開口部を覆う閉位置と前記開口を覆わない開位置との間を揺動自在に軸支されて取り付けられている。
【００２７】
（扉の閉位置での固定）
扉１３は、前記開口部を覆う閉位置において、カバー１２に固定される。固定のための手段として、前記カバー１２に設けられる係合凸部１２１と、前記扉１３に設けられて前記係合凸部１２１と係合する係合凹部１３１とを備えている。
【００２８】
前記係合凹部１３１は、扉１３を開位置から閉位置の方向に回転させるときの半径方向となる先端部付近に設けられている。先端部とは、扉１３の扉軸支持部ａ（１２４ａ）から離れた下側周縁部であって、左右方向の略中央部において、係合凹部１３１が扉１３の内側面に埋め込み固着されている。
【００２９】
また、前記係合凸部１２１は、カバー１２の前面下側周縁部に設けられている。該係合凸部１３１は、扉１３が閉じた状態で前記係合凹部１３１に対向配置される。
【００３０】
本実施形態において、係合凹部１３１および係合凸部１２１は、プッシュラッチおよび該プッシュラッチに係合するストライカから構成されている。
【００３１】
当該プッシュラッチは、そのラッチする方向が扉１３の揺動軌跡がなす円弧における接線上であって扉１３側に向かう方向に設けられている。
【００３２】
また、前記ストライカ部材は、図３に示したように、カバー１２の前面側から前方方向に突出形成され、先端部にラッチ部となるキノコ形状の突起部を備えている。ストライカ部材は、カバー１２の前面側において、左右方向の略中央部に設けられる。
【００３３】
これら係合凸部１２１および係合凹部１３１の係合により、扉１３を閉めた時に、前記ストライカが前記プッシュラッチに係合されることにより、扉１３がカバー１２に対して保持固定される。
【００３４】
このように、カバー１２の左右に離間させて設けている前記扉軸支持部ａ、扉軸支持部ｂと、扉１３及びカバー１２の左右方向略中央部に設けている係合凹部１３１および係合凸部１２１と相まって、上下方向において逆三角形状にドアを３点支持により安定して保持する。
【００３５】
（ぶれ防止部の構成）
次に、ぶれ防止部の構成について図３、図４を用いて説明する。
ぶれ防止部は、前記係合凸部１２１の近傍において、扉１３の揺動方向と直交する方向（左右方向）に壁部ａ（１２２ａ）および壁部ｂ（１２２ｂ）を形成することにより構成している。
【００３６】
壁部ａ（１２２ａ）、壁部ｂ（１２２ｂ）は、前記ストライカ部材が突出する方向と同方向に、カバー１２前面側から前方方向に突出する。壁部ａ−ｂの内壁面同士の距離（ａ１）は、係合凹部１３１の外郭の左右方向の長さ（ａ２）と同等程度に設けられており、扉１３が閉位置になった場合には、係合凹部１３１の外郭が該壁部ａ−ｂ間に嵌まり込むよう、係合凹部嵌合部１２５を形成している。
【００３７】
なお、壁部ａ（１２２ａ）と壁部ｂ（１２２ｂ）の外方には、それぞれ、壁部ａ保持リブ（１２３ａ）と壁部ｂ保持リブ（１２３ｂ）が一体形成されており、壁部の左右方向において、外力に対する抵抗力を増加させている。
【００３８】
このように、係合凹部１３１のラッチ部のみならず、係合凹部１３１の外郭全体が係合凹部嵌合部１２５に嵌合するから、ぶれ防止のための強度が増し、左右方向の外力やぶれに対して対抗力を高く維持することができる。
【００３９】
また、壁部ａ（１２２ａ）と壁部ｂ（１２２ｂ）の端部は、前記突出方向に対して外開きとなるよう角度が付けられてＣ面形成している。
【００４０】
扉１３を閉じるときに、扉１３がねじれるなどして、ぶれが生じながら閉められる場合においても、所定の位置からぶれた係合凹部１３１を正規の位置に導く許容度を持って構成されるから、扉を閉める操作を不用意に行った場合においても、扉を閉めることを確実に行うことができる。
【００４１】
（係合凹部と係合凸部との位置関係）
扉１３を閉じた時において、壁部ａ（１２２ａ）、壁部ｂ（１２２ｂ）と、係合凹部１３１の外郭との隙間は、約０．１ｍｍと構成している。このため、係合凹部嵌合部１２５の左右壁面は、係合凹部１２１の外郭と接していないが、扉１３に左右方向からの外力が加わり、扉１３の先端が左右方向に振れた場合には、それぞれが接し、外力を受け止める。
【００４２】
（カバー係合部）
扉１３の後面側先端部付近において、扉１３の後面側から後方に突出するカバー係合部ａ（１３２ａ）およびカバー係合部ｂ（１３２ｂ）が左右に離間されて形成されている。
【００４３】
カバー係合部ａ（１３２ａ）およびカバー係合部ｂ（１３２ｂ）は、平板状のリブを、その平面が左右方向となるように扉１３の後面側から後方に突出させて構成しており、この部分が、カバー１２の開口部１２０付近の内壁に嵌合する。
【００４４】
カバー係合部ａ（１３２ａ）およびカバー係合部ｂ（１３２ｂ）の上下方向には、カバー１２の左右内壁面から該カバー係合部の方向に向かって形成されるカバー係合部保持リブ（１３３ａ、１３３ｂ）が形成されており、前記平板上のリブを補強する役割を果たしている。
【００４５】
（カバー係合部とカバー開口部との位置関係）
扉１３の後面側に設けたカバー係合部（１３２ａ、１３２ｂ）は、扉１３の開閉の際にはどこにも干渉することなく、扉１３を閉じる際，カバー１２の開口部に入り込む。
【００４６】
この状態で、ドア１２に左右方向からの外力が加わり、ドア１２の先端が左右方向に振れた場合、カバー係合部（１３２ａ、１３２ｂ）がカバー１２の開口部付近の内壁に接し、外力を受け止める。
【００４７】
このように、ぶれ防止部としての係合凹部嵌合部１２５と、カバー係合部ａ（１３２ａ）、カバー係合部ｂ（１３２ｂ）とが左右方向の外力を受け止める機能を果たすため、左右方向からの外力に強く、なおかつ上下方向の長さに対して左右方向の幅が狭い収納箱等、扉１３がねじれやすい場合であっても、収納箱の扉１３を閉じやすく、閉じた後は確実に閉じた状態を維持し得る機能を有する収納箱１を実現することができる。
【００４８】
なお、カバー係合部（１３２ａ、１３２ｂ）は、扉１３の外面ではなく内方側に形成したから、扉１３を閉じた時にはこれらの係合部外部からは視認できず、見栄えよく構成することができる。
【００４９】
尚、本発明は、上記実施形態に限定されるものではなく、本発明の要旨を逸脱しない範囲で種々の変更が可能である。
【００５０】
例えば、本発明の係合凸部１２１、係合凹部１３１は、それぞれの形成位置を互いに逆転させ、係合凸部を扉１３側に設け、係合凹部をカバー１２側に設けて構成してもよい。
また、本収納箱の形態を、住宅用分電盤や標準盤など、一般的な樹脂製のキャビネットに適用することができる。
【符号の説明】
【００５１】
１  収納箱
１１  ケース
１２  カバー
１２０  開口部
１２１  係合凸部
１２２ａ  壁部ａ
１２２ｂ  壁部ｂ
１２３ａ  壁部ａ保持リブ
１２３ｂ  壁部ｂ保持リブ
１２４ａ  扉軸支部ａ
１２４ｂ  扉軸支部ｂ
１３  扉
１３１  係合凹部
１３２ａ  カバー係合部ａ
１３２ｂ  カバー係合部ｂ
１３３ａ  カバー係合部ａ保持リブ
１３３ｂ  カバー係合部ｂ保持リブ
【図１】
2016072530.tif 000003
【図２】
2016072530.tif 000004
【図３】
2016072530.tif 000005
【図４】
2016072530.tif 000006
【図５】
2016072530.tif 000007
【図６】
2016072530.tif 000008
【図７】
2016072530.tif 000009
【図８】
2016072530.tif 000010